(57)【要約】【課題】本発明は、遊技球の通過等により入賞装置の取付け台板に設けられた着色層が経時的に剥がれないようにすることを目的とする。【解決手段】本発明は、遊技盤の盤面に沿ってその盤面に取付けられる取付け台板２０を備え、その取付け台板２０に遊技球を受け入れるための玉受け部３０が設けられたパチンコ機の入賞装置であって、取付け台板２０は、光透過性の合成樹脂板からなる導光板２０であり、導光板２０の裏面には、その導光板２０の後方に配置された光源５２の光が入射可能な受光部２４が設けられ、その受光部２４を除く部分に光を反射する着色層２７が設けられており、さらに、導光板２０には、受光部２４に入射した光源５２の光を導光板２０の板面に沿う方向に反射させる反射手段２５が設けられている。【選択図】図３
2013169325.tif 000002
【特許請求の範囲】
【請求項１】
遊技盤の盤面に沿ってその盤面に取付けられる取付け台板を備え、その取付け台板に遊技球を受け入れるための玉受け部が設けられたパチンコ機の入賞装置であって、
前記取付け台板は、光透過性の合成樹脂板からなる導光板であり、
前記導光板の裏面には、その導光板の後方に配置された光源の光が入射可能な受光部が設けられ、その受光部を除く部分に光を反射する着色層が積層されており、
さらに、前記導光板には、前記受光部に入射した前記光源の光を前記導光板の板面に沿う方向に反射させる反射手段が設けられていることを特徴とするパチンコ機の入賞装置。
【請求項２】
請求項１に記載されたパチンコ機の入賞装置であって、
前記導光板の裏面に設けられた受光部は、その導光板の周縁部に設けられており、
前記反射手段は、前記導光板に形成された反射プリズム部であることを特徴とするパチンコ機の入賞装置。
【請求項３】
請求項１に記載されたパチンコ機の入賞装置であって、
前記導光板の裏面に設けられた受光部は、その導光板の周縁部に設けられており、
前記反射手段は、前記導光板の表面窪み部に積層された光を反射する着色層であることを特徴とするパチンコ機の入賞装置。
【請求項４】
請求項１から請求項３のいずれかに記載されたパチンコ機の入賞装置であって、
前記玉受け部は、断面Ｕ字形をした遊技球の玉誘導路を備えており、その玉誘導路が光透過性の合成樹脂から構成されて導光管として機能することを特徴とするパチンコ機の入賞装置。
【発明の詳細な説明】
【技術分野】
【０００１】
本発明は、遊技盤の盤面に沿ってその盤面に取付けられる取付け台板を備え、その取付け台板に遊技球を受け入れるための玉受け部が設けられたパチンコ機の入賞装置に関する。
【背景技術】
【０００２】
これに関連するパチンコ機の入賞装置が特許文献１に記載されている。
特許文献１に記載された入賞装置１００は、図５に示すように、遊技盤の盤面に沿ってその盤面に取付けられる取付け台板１０２を備えている。取付け台板１０２の上部中央には、上部玉受け部１０４が設けられている。上部玉受け部１０４は、遊技盤の遊技領域を転動する遊技球を受け入れて取付け台板１０２の後方（裏側）に導く断面Ｕ字形状の玉誘導路１０４ｕを備えている。そして、玉誘導路１０４ｕの前面に受け口前面装飾板１０４ｆが取付けられている。
また、取付け台板１０２の下部中央には、下部受け部１０６が設けられている。下部玉受け部１０６は、前面に下方玉受け部装飾板１０６ｆを備えており、その下方玉受け部装飾板１０６ｆと取付け台板１０２との間に一対の開閉羽根１０６ｔが設けられている。
入賞装置１００の取付け台板１０２の表面、上部玉受け部１０４の受け口前面装飾板１０４ｆ、及び下方玉受け部装飾板１０６ｆには、遊技盤の意匠に合わせて模様の印刷やメッキ等が施されている。
しかし、入賞装置にメッキ等を施す構成では意匠が陳腐化し、斬新性に乏しくなる。この点を解決するため、入賞装置の取付け台板を光透過性の合成樹脂で形成し、この取付け台板の表面にアルミ等を蒸着させて取付け台板を全体的に光装飾することが行われている。
【先行技術文献】
【特許文献】
【０００３】
【特許文献１】特開２００９−２０２０２９号公報
【発明の概要】
【発明が解決しようとする課題】
【０００４】
しかし、取付け台板１０２の表面等は、遊技盤の盤面を落下する遊技球の通路となっているため、遊技球が当たることで取付け台板１０２の表面に施されたアルミ蒸着や印刷等が経時的に剥がれるという問題がある。
【０００５】
本発明は、上記問題点を解決するためになされたものであり、本発明の技術的課題は、遊技球の通過等により入賞装置の取付け台板に設けられた着色層が経時的に剥がれないようにすることである。
【課題を解決するための手段】
【０００６】
上記した課題は、各請求項の発明によって解決される。
請求項１の発明は、遊技盤の盤面に沿ってその盤面に取付けられる取付け台板を備え、その取付け台板に遊技球を受け入れるための玉受け部が設けられたパチンコ機の入賞装置であって、前記取付け台板は、光透過性の合成樹脂板からなる導光板であり、前記導光板の裏面には、その導光板の後方に配置された光源の光が入射可能な受光部が設けられ、その受光部を除く部分に光を反射する着色層が積層されており、さらに、前記導光板には、前記受光部に入射した前記光源の光を前記導光板の板面に沿う方向に反射させる反射手段が設けられていることを特徴とする。
【０００７】
本発明によると、導光板には、受光部に入射した後方の光源の光を導光板の板面に沿う方向に反射させる反射手段が設けられている。このため、光源から導光板の受光部に入射した光は反射手段により導光板の板面に沿う方向に曲げられ、導光板の表面側（前面側）と裏面側（後面側）とで全反射を繰り返しながら板全体に導かれる。そして、前記光が導光板に沿って導かれる過程で、その光が導光板の裏面の着色層に当たって前方に乱反射することで、導光板の裏面の着色層が輝いて見えるようになる。
このように、着色層が取付け台板（導光板）の裏面に施されているため、遊技盤の遊技領域内を転動落下する遊技球が取付け台板（導光板）の表面を通過し、また、取付け台板に衝突しても、経時的に取付け台板の着色層が剥がれるような不具合が生じない。
【０００８】
請求項２の発明によると、導光板の裏面に設けられた受光部はその導光板の周縁部に設けられており、反射手段は導光板に形成された反射プリズム部であることを特徴とする。
このように、導光板の受光部は、その導光板の周縁部に設けられているため、光源を導光板の周縁部に沿って配置できるようになる。このため、光源の配置の自由度が向上する。また、多くの光源を配置できるため、取付け台板（導光板）を明るくできる。
【０００９】
請求項３の発明によると、導光板の裏面に設けられた受光部は、その導光板の周縁部に設けられており、反射手段は、前記導光板の表面窪み部に積層された光を反射する着色層であることを特徴とする。
即ち、光を反射する着色層が導光板の表面窪み部に積層されているため、遊技球が取付け台板（導光板）の表面を通過する際に、その遊技球が着色層に当たり難くなり、その着色層の剥がれ防止が図られる。
【００１０】
請求項４の発明によると、玉受け部は、断面Ｕ字形をした遊技球の玉誘導路を備えており、その玉誘導路が光透過性の合成樹脂から構成されて導光管として機能することを特徴とする。
このため、光源により玉受け部の遊技球の玉誘導路を光らすことができる。
【発明の効果】
【００１１】
本発明によると、遊技球が入賞装置の取付け台板の表面を通過し、また、取付け台板に衝突しても、その取付け台板に積層された着色層が経時的に剥がれるようなことがなくなる。
【図面の簡単な説明】
【００１２】
【図１】本実施形態に係るパチンコ機の入賞装置の全体斜視図である。
【図２】前記パチンコ機の入賞装置の正面図である。
【図３】図２のIII-III矢視断面図である。
【図４】導光板の働きを表す縦断面図（図３のIV部拡大図）である。
【図５】従来のパチンコ機の入賞装置の正面図である。
【発明を実施するための形態】
【００１３】
［実施形態１］
以下、図１〜図４に基づいて本発明の実施形態１に係るパチンコ機の入賞装置の説明を行なう。ここで、図中に示す前後左右及び上下はパチンコ機における前後左右及び上下に対応している。
【００１４】
＜パチンコ機の入賞装置１０の概要について＞
パチンコ機の入賞装置１０は、パチンコ機の遊技盤（図示省略）の遊技領域に配置される役物装置である。入賞装置１０は、図１〜図３等に示すように、遊技盤の盤面に沿ってその盤面に取付けられる取付け台板２０と、その取付け台板２０の上部中央に設けられた上部玉受け部３０と、前記取付け台板２０の下部中央に設けられた下部玉受け部４０と、光装飾用の光源部５０とから構成されている。
取付け台板２０は、入賞装置１０を遊技盤の盤面に取付けるための板材であり、図１、図２に示すように、前記遊技盤の盤面に対する取付け穴２２が左右両側に形成されている。なお、図３には、遊技盤の盤面の位置が一点鎖線Ｒで示されている。
上部玉受け部３０は、遊技盤の遊技領域を転動落下する遊技球を受け入れて取付け台板２０の後方（裏側）に導く部分であり、断面Ｕ字形状の上部玉誘導路３２を備えている。上部玉誘導路３２は、取付け台板２０を前後に貫通するように配置されており、その上部玉誘導路３２の後端が遊技球を左方向に導く後方左玉誘導路３４に接続されている。上部玉誘導路３２は後側が低くなるように緩やかに傾斜しており、後方左玉誘導路３４は左側が低くなるように緩やかに傾斜している。
上部玉誘導路３２の前端には、その上部玉誘導路３２を塞ぐように受け口前面装飾板３１が取付けられている。受け口前面装飾板３１には、インクジェット印刷により所定の模様（図では、サクラマーク）が描かれている。
【００１５】
下部玉受け部４０は、上部玉受け部３０の下で落下する遊技球を受けて取付け台板２０の後方（裏側）に導く部分であり、断面Ｕ字形状の下部玉誘導路４２を備えている。下部玉誘導路４２は、取付け台板２０を前後に貫通するように配置されており、その下部玉誘導路４２の後端が後方玉誘導路４４に接続されている。下部玉誘導路４２と後方玉誘導路４４とは、後側が低くなるように緩やかに傾斜している。
また、下部玉誘導路４２の前端には、その下部玉誘導路４２を塞ぐように受け口前面装飾板４１が取付けられている。受け口前面装飾板４１には、インクジェット印刷により所定の模様（図では、サクラマーク）が描かれている。
そして、受け口前面装飾板４１と取付け台板２０との間に、図２、図３等に示すように、一対の開閉羽根４５が左右方向に回動しつつ開閉可能な状態で装着されている。また、後方玉誘導路４４の後側には、図３等に示すように、一対の開閉羽根４５を開閉動作させるソレノイド４６が設けられている。
【００１６】
光源部５０は、取付け台板２０の周縁部分を後方から照らす発光ダイオード５２が装着された第１基板５３と、上部玉受け部３０の上部玉誘導路３２を照らす発光ダイオード５４が装着された第２基板５５と、下部玉受け部４０の一対の開閉羽根４５を照らす発光ダイオード５６が装着された第３基板５７と、各々の発光ダイオード５２，５４，５６を動作させる電気回路（図示省略）とを備えている。
第１基板５３は、図３等に示すように、取付け台板２０の後側位置で、その取付け台板２０と平行に設けられている。第２基板５５は、上部玉受け部３０の上部玉誘導路３２の後端と後方左玉誘導路３４との接続部分の近傍に配置されている。また、第３基板５７は、上部玉受け部３０の後方左玉誘導路３４の後側で、下部玉受け部４０の後方玉誘導路４４の上側に設けられている。
【００１７】
＜取付け台板２０等の光装飾について＞
取付け台板２０は、光透過性の合成樹脂、例えば、ポリカーボネイトにより成形された導光板により構成されている。取付け台板２０（以下、導光板２０という）の表面側周縁部には、図４に示すように、周方向に延びる断面三角形の細溝２３が鋸刃状に複数連なった状態で形成されており、前記複数の細溝２３の部分で光を散乱させられるように構成されている。また、導光板２０の裏面側には、細溝２３よりも中央寄りの位置に第１基板５３の発光ダイオード５２の光を受ける受光部２４が前記細溝２３に沿って突条状に形成されている。また、導光板２０の表面側には、受光部２４から入射した光を導光板２０の外周側と中央側とに反射させる反射プリズム部２５が形成されている。さらに、導光板２０の裏面には、前記受光部２４より中央寄りの部分がアルミ蒸着メッキされることで銀色の着色層２７が設けられている。
【００１８】
これにより、発光ダイオード５２から導光板２０の受光部２４に入射した光は、反射プリズム部２５により導光板２０の板面に沿う方向、即ち、中心方向（図４の下方向）と外周方向（図４の上方向）とに曲げられる。そして、導光板２０の中心方向に曲げられた光は、導光板２０の表面側（前面側）と裏面側（後面側）とで全反射を繰り返しながら板中央部まで導かれる。そして、前記光が導光板２０に沿って導かれる過程で、その光が導光板２０の裏面の着色層２７に当たって前方に乱反射することで、導光板２０の裏面の着色層２７が輝いて見えるようになる。
さらに、反射プリズム部２５によって導光板２０の外周方向に曲げられた光は、複数の細溝２３の部分で散乱して前方に導かれる。
これにより、導光板２０が全体的に輝いて見えるようになる。
【００１９】
また、上部玉受け部３０の断面Ｕ字形状の上部玉誘導路３２もポリカーボネイトにより形成されて、導光板（導光管）として機能するようになる。このため、第２基板５５の発光ダイオード５４の光が上部玉誘導路３２に入射されることで、その上部玉誘導路３２が輝いて見えるようになる。
同様に、下部玉受け部４０の一対の開閉羽根４５もポリカーボネイトにより形成されているため、第３基板５７の発光ダイオード５６の光が開閉羽根４５に入射されることで、その開閉羽根４５が輝いて見えるようになる。
【００２０】
＜本実施形態に係る入賞装置１０の長所について＞
本実施形態に係る入賞装置１０によると、導光板２０には、後方の発光ダイオード５２から受光部２４に入射した光を導光板２０の板面に沿う方向に反射させる反射プリズム部２５が設けられている。このため、発光ダイオード５２から導光板２０の受光部２４に入射した光は反射プリズム部２５により導光板２０の板面に沿う方向に曲げられ、導光板２０の表面側（前面側）と裏面側（後面側）とで全反射を繰り返しながら板全体に導かれる。そして、前記光が導光板２０に沿って導かれる過程で、その光が導光板２０の裏面の着色層２７に当たって前方に乱反射することで、導光板２０の裏面の着色層２７が輝いて見えるようになる。
このように、着色層２７（メッキ）が取付け台板２０（導光板２０）の裏面に施されているため、遊技盤の遊技領域内を転動落下する遊技球が取付け台板２０（導光板２０）の表面を通過し、また、取付け台板２０に衝突しても、経時的に取付け台板２０のメッキが剥がれるような不具合が生じない。
また、導光板２０の受光部２４は、その導光板２０の周縁部に設けられているため、発光ダイオード５２（光源）を導光板２０の周縁部に沿って配置できるようになる。このため、発光ダイオード５２の配置の自由度が向上する。また、多くの発光ダイオード５２を配置できるため、取付け台板２０（導光板２０）を明るくできる。
また、上部玉受け部３０の上部玉誘導路３２が光透過性の合成樹脂から構成されて導光管として機能するため、発光ダイオード５４により上部玉誘導路３２を光らすことができる。
【００２１】
＜変更例＞
ここで、本発明は上記実施形態に限定されるものではなく、本発明の要旨を逸脱しない範囲における変更が可能である。例えば、本実施形態に係る入賞装置１０では、取付け台板２０（導光板２０）の受光部２４を、その導光板２０の裏面周縁部に設ける例を示したが、前記受光部２４を、例えば、導光板２０の中央寄りの位置に設け、着色層２７を受光部２４の周囲に設けるようにすることも可能である。
また、本実施形態では、着色層２７をアルミ蒸着メッキにより銀色に形成する例を示したが、メッキの色を変えることも可能である。また、メッキの代わりに印刷（塗装）により着色層２７を形成することも可能である。さらに、メッキと印刷（塗装）とを組み合わせて着色層２７を構成することも可能である。
また、本実施形態では、受光部２４から入射した光を反射プリズム部２５により導光板２０の外周側と中央側とに反射させる例を示した。しかし、反射プリズム部２５の代わりに、導光板２０の表面に窪みを形成し、その窪みの部分に、例えば、銀色のアルミ蒸着により光を反射する着色層２７を設けることも可能である。
【符号の説明】
【００２２】
１０・・・・入賞装置
２０・・・・取付け台板（導光板）
２４・・・・受光部
２５・・・・反射プリズム部
２７・・・・着色層
３０・・・・上部玉受け部
３２・・・・上部玉誘導路（導光管）
５２・・・・発光ダイオード（光源）
５４・・・・発光ダイオード（光源）
【図１】
2013169325.tif 000003
【図２】
2013169325.tif 000004
【図３】
2013169325.tif 000005
【図４】
2013169325.tif 000006
【図５】
2013169325.tif 000007